(57)【要約】【課題】ピアノ線から三方枠までの寸法を測定する必要がなくなり、三方枠の芯出し作業の効率化ができる三方枠の芯出し装置を得る。【解決手段】昇降路１の開口部２に三方枠を取り付ける際に使用する三方枠の芯出し装置において、三方枠の左右上部に、昇降路１内側に向かって突出して設けられた第１の係合部材６と、三方枠の左右下部に、昇降路１内側に向かって突出して設けられた第２の係合部材７と、昇降路１内に設けられ、第１の係合部材６および第２の係合部材７を通って垂下するピアノ線１０とを備え、第１の係合部材６および第２の係合部材７にはそれぞれ第１の切欠き６ａおよび第２の切欠き７ａが設けられ、これらはピアノ線１０と係合する。【選択図】図１
2007182275.tif 000002
【特許請求の範囲】
【請求項１】
エレベーターの昇降路を画成する仕切り壁に設けられた開口部に三方枠を取り付ける際に使用する三方枠の芯出し装置において、
前記三方枠の左右上部に、前記昇降路内側に向かって突出して設けられた第１の係合部材と、
前記三方枠の左右下部に、前記昇降路内側に向かって突出して設けられた第２の係合部材と、
前記昇降路内に設けられ、それぞれの前記第１の係合部材および前記第２の係合部材を通って垂下する芯出し線と、
を備え、
前記第１の係合部材および前記第２の係合部材にはそれぞれ係合部が設けられ、この係合部は前記芯出し線と係合する
ことを特徴とする三方枠の芯出し装置。
【請求項２】
前記係合部は、切欠き形状であることを特徴とする請求項１に記載の三方枠の芯出し装置。
【請求項３】
前記第１の係合部材および前記第２の係合部材は、吸着材を介して前記三方枠に取り付けられ、前記第１の係合部材および前記第２の係合部材は前記三方枠に対して着脱可能であることを特徴とする請求項１または請求項２に記載の三方枠の芯出し装置。
【請求項４】
前記第１の係合部材は、直交した前記三方枠の縦枠と前記三方枠の上枠とを固定する第１の固定手段に固定され、
前記第２の係合部材は、直交した前記縦枠と前記三方枠の下方に設けられた敷居とを固定する第２の固定手段に固定され
ことを特徴とする請求項１または請求項２に記載の三方枠の芯出し装置。
【請求項５】
前記第１の係合部材および前記第２の係合部材には、それぞれの長孔が昇降路内側に向かって設けられ、
それぞれの長孔により、前記第１の固定手段および前記第２の固定手段が移動可能になっている
ことを特徴とする請求項４に記載の三方枠の芯出し装置。
【発明の詳細な説明】
【技術分野】
【０００１】
この発明は、エレベーターの昇降路を画成するに設けられた開口部に三方枠を取り付ける際に使用する三方枠の芯出し装置に関する。
【背景技術】
【０００２】
従来、三方枠の芯出し装置として、エレベーターの昇降路を画成する仕切り壁に設けられた開口部の床部分に敷居を設け、昇降路には下端部に錘を付けたピアノ線を吊り下げることで垂直方向の基準線を作るものが知られている。その基準線から敷居の横方向および奥行き方向の位置と敷居の向きを所定の位置に位置決めする芯出しを行う。この敷居の芯出しを行った後に、その敷居の上方に三方枠を組み立て、その基準線から三方枠までの寸法を測定することによって三方枠の横方向および奥行き方向の位置と三方枠の向きを所定の位置に位置決めする芯出しを行う（例えば、特許文献１参照）。
【０００３】
【特許文献１】特開平６−２４７６６１号公報
【発明の開示】
【発明が解決しようとする課題】
【０００４】
しかしながら、このものの場合、垂直の基準線から三方枠までの寸法、特に、三方枠の左右上下端部の４箇所までの寸法を測定する必要があり、作業効率が悪いという問題点があった。
【０００５】
この発明は、上述のような問題点を解決することを課題とするものであって、その目的は、三方枠の左右の上端部、下端部のそれぞれに所定の長さの係合部材を設け、それぞれの係合部材とピアノ線とを当接させることにより、三方枠の横方向および奥行き方向の位置と三方枠の向きを所定の位置にするためにピアノ線から三方枠までの寸法を測定する必要がなくなり、三方枠の芯出し作業の効率化ができる三方枠の芯出し装置を提供するものである。
【課題を解決するための手段】
【０００６】
この発明に係る三方枠の芯出し装置は、エレベーターの昇降路を画成する仕切り壁に設けられた開口部に三方枠を取り付ける際に使用する三方枠の芯出し装置において、前記三方枠の左右上部に、前記昇降路内側に向かって突出して設けられた第１の係合部材と、前記三方枠の左右下部に、前記昇降路内側に向かって突出して設けられた第２の係合部材と、前記昇降路内に設けられ、前記第１の係合部材および前記第２の係合部材を通って垂下する芯出し線とを備え、前記第１の係合部材および前記第２の係合部材にはそれぞれ係合部が設けられ、この係合部は前記芯出し線と係合するものである。
【発明の効果】
【０００７】
この発明に係る三方枠の芯出し装置によれば、三方枠の左右の上端部、下端部のそれぞれに所定の長さの係合部材を設け、それぞれの係合部材と昇降路内に垂下された芯出し線とを当接させることにより、三方枠の横方向および奥行き方向の位置と三方枠の向きを所定の位置に位置決めする芯出し線から三方枠までの寸法を測定する必要がなくなり、三方枠の芯出し作業の効率化ができる三方枠の芯出し装置を提供することができる。
【発明を実施するための最良の形態】
【０００８】
以下、この発明の実施の形態１および２を図に基づいて説明するが、各図において、同一または相当の部材、部位については、同一符号を付してある。
実施の形態１．
図１は、この発明の実施の形態１の三方枠の芯出し装置をエレベーターの昇降路に取り付けた時の斜視図、図２は図１の要部拡大図、図３は図１の切欠きおよびピアノ線の係合した時の斜視図である。
【０００９】
この三方枠の芯出し装置では、エレベーターの昇降路１を画成する仕切り壁２０に設けられた開口部２の床部分に敷居３が設けられている。三方枠は縦枠４と上枠５とから構成され、敷居３の上方に左右に一対の縦枠４が設けられ、その縦枠４の上方に上枠５が設けられている。
【００１０】
２本ある縦枠４の両上端部には、昇降路１の内側に向かって一対の第１の係合部材６が、吸着材である第１のマグネット８を介して取り付けられている。また、縦枠４の両下端部にも、昇降路１の内側に向かって一対の第２の係合部材７が、第２のマグネット９を介して取り付けられている。一対の縦枠４は敷居３に対して垂直に、さらに、両縦枠４は互いに平行に立てられているので、左右に取り付けられた両第１の係合部材６の間隔と両第２の係合部材７の間隔は等しくなっている。
【００１１】
第１の係合部材６の反マグネット側の端部の両側面には、くの字型に削られた一対の第１の切欠き６ａが設けられている。また、第２の係合部材７にも同様にして一対の第２の切欠き７ａが設けられている。
【００１２】
昇降路１の頂部から２本の芯出し線であるピアノ線１０が垂直に垂れ下がっている。２本あるピアノ線の間隔は上述した両第１の係合部材６の間および両第２の係合部材７間と同じ間隔である。このピアノ線１０の下端部には、錘１１が設けられており、この錘１１によってピアノ線１０は適度な張力が加えられている。
また、昇降路１の仕切り壁２０の下部には、穴の開いた保持部材が設けられており、その穴にピアノ線１０を通して、垂下したピアノ線１０が振り子にように振れるのを防止している。
２本のピアノ線１０は第１の切欠き６ａおよび第２の切欠き７ａと当接している。
【００１３】
昇降路１の別の階にあたる開口部２に対しても、図示しない同様の三方枠を取り付け、それぞれの三方枠の横方向および奥行き方向の位置と三方枠の向きは揃えられている。
【００１４】
次に、上記構成の三方枠の芯出し装置を使用した三方枠の組み立て手順について説明する。
まず、昇降路１の頂部からピアノ線１０を垂れ下げ、昇降路１の仕切り壁２０の下部に設けられた保持部材にピアノ線１０を通し、ピアノ線１０が振り子のように振れるのを防止する。
さらに、ピアノ線１０の下端部には錘１１をつけて、ピアノ線１０に適度な張力を加える。
【００１５】
次に、三方枠の左右の縦枠４の上端部に第１の係合部材６を取り付け、また、左右の縦枠４の下端部には第２の係合部材７を取り付ける。
【００１６】
それから、先に横方向および奥行き方向の位置と向きを所定の位置に位置決めする芯出しをした敷居３の上に、第１の切欠き６ａとピアノ線１０とが係合し、第２の切欠き７ａとピアノ線１０とが係合するように三方枠を置く。
第１の切欠き６ａおよび第２の切欠き７ａとピアノ線１０とをそれぞれ当接させた後で、その三方枠を固定する。第１の切欠き６ａおよび第２の切欠き７ａとピアノ線１０とをそれぞれ当接させることにより、三方枠の横方向および奥行き方向の位置と三方枠の向きを所定の位置に位置決めする芯出しができる。その後、同様にして、第１の係合部材６および第２の係合部材７を取り付けた三方枠を各階の開口部２でピアノ線１０と当接させた後、三方枠を開口部２に固定する。以上で、三方枠の芯出しは終了する。なお、三方枠の昇降方向はフロアーを基準とするため、三方枠の昇降方向の調整は行わない。
【００１７】
以上説明したように、この三方枠の芯出し装置によれば、三方枠の左右の上端部、下端部のそれぞれに所定の長さの第１の係合部材６および第２の係合部材７を設け、それぞれの係合部材に形成された第１の切欠き６ａおよび第２の切欠き７ａとピアノ線１０とを当接させることにより、ピアノ線１０から三方枠までの寸法を測定しなくても、三方枠の横方向および奥行き方向の位置と三方枠の向きを所定の位置に位置決めする芯出しをすることができ、三方枠の芯出し作業の効率化ができる。
【００１８】
また、係合部が切欠きであるので、簡単に係合部を形成することができる。また、この切欠きはピアノ線と簡単に当接することができる。また、切欠きは係合部材の両側面に形成されているので、三方枠の左右どちらに対しても取り付けて使用することができる。
【００１９】
また、係合部材はマグネットを介して三方枠に取り付けられているので、着脱可能となり、三方枠の芯出し作業が終了すると取り外して、他の階の三方枠の芯出しに使用することができる。
【００２０】
実施の形態２．
図４はこの実施の形態２の三方枠の芯出し装置をエレベーターの昇降路１に取り付けた時の斜視図、図５は図４の要部拡大図、図６は図４の第１の係合部材２６および第２の固定手段を示す分解斜視図、図７は第２の係合部材２７および第２の固定手段を示す分解斜視図である。
【００２１】
第１の係合部材２６および第２の係合部材２７は共に断面矩形の形状をなしている。
また、敷居３、縦枠４および上枠５は横長の直方体の形状をなしている。
【００２２】
一対の第１の係合部材２６には、昇降路１の内側に向かって長孔が２本形成されている。
一対の縦枠４と上枠５とはそれぞれ直交しており、その間に挟まれた部分に、この第１の係合部材２６の上面および側面が接触するようにそれぞれの第１の係合部材２６が配置されている。
【００２３】
第１の固定手段は、中間部が垂直に折り曲げられた板である、第１の固定部材１２および第２の固定部材１４と、２枚のネジ座１３、１５と、４本のネジ２８，２９，３０，３１とから構成されている。第１の固定部材１２および第２の固定部材１４には、ネジを通す孔が２個所設けられており、ネジ座１３，１５には、ネジ穴がそれぞれに２箇所設けられている。
第１の固定部材１２を第１の係合部材２６の上にのせて、第１の係合部材２６の下側にはネジ座１３を接触させ、第１の固定部材１２の上から２本のネジ２８，２９を螺着させている。また、第１の固定部材１２の垂直に曲げられた部分は上枠５と面接触をしている。
【００２４】
一方、第１の係合部材２６の上枠５を挟んだ反第１の固定部材１２側では、第２の固定部材１４を第１の係合部材２６の上にのせて、第１の係合部材２６の下側にはネジ座１５を接触させ、第２の固定部材１４の上からネジ３０，３１を螺着させている。また、第２の固定部材１４の垂直に曲げられた部分は上枠５と面接触している。
第１の固定部材１２および第２の固定部材１４は、その垂直に曲げられた部分が共に上枠５を挟むことにより、三方枠と第１の係合部材２６とを固定している。
【００２５】
第２の固定手段には、中間部が垂直に折り曲げられた板である、第３の固定部材１６および第４の固定部材１８と、２枚のネジ座１７，１９と、４本のネジ３２，３３，３４，３５とから構成されている。第３の固定部材１６および第４の固定部材１８には、ネジを通す孔が２箇所設けられており、ネジ座１７，１９には、ネジ穴がそれぞれに２箇所設けられている。
第３の固定部材１６を第２の係合部材２７の下に接触させ、第２の係合部材２７の上側にはネジ座１７をのせ、第３の固定部材１６の下から２本のネジ３２，３３を螺着させている。また、第３の固定部材１６の垂直に折り曲げられた部分は敷居３と面接触している。
【００２６】
一方、第２の係合部材２７の敷居３を挟んだ反第３の固定部材１６側には、第４の固定部材１８を上にのせて、第２の係合部材２７の下側にはネジ座１９を接触させ、第４の固定部材１８の上からネジ３４，３５を螺着させている。また、第４の固定部材１８の垂直に折り曲げられた部分は縦枠４と面接触している。
第３の固定部材１６および第４の固定部材１８は、その垂直に曲げられた部分が共に接触した敷居３と上枠５の両側面を挟むことにより、三方枠と第２の係合部材２７とを固定している。
その他の構成は、実施の形態１と同様である。
【００２７】
この実施の形態２に係る三方枠の芯出し装置によれば、敷居３と縦枠４と上枠５が全て直交して固定されているので、敷居３および三方枠の横方向および奥行き方向の位置と三方枠の向きの芯出しをする際に、敷居３と縦枠４、縦枠４と上枠５のそれぞれの直角度修正作業をする必要がなく、芯出し作業の効率が向上する。
【００２８】
また、第１の係合部材２６および第２の係合部材２７に２本の長孔が昇降路１内側方向に沿って形成されているので、第１の係合部材２６および第２の係合部材２７の昇降路１内側方向への長さの調節が可能となり、使用する敷居３の幅や三方枠の厚みが異なるエレベーターであっても、そのエレベーターに合った三方枠の芯出し装置を提供することができる。
【００２９】
なお、上記実施の形態１および２では、ピアノ線１０の下部に錘１１をつけて説明したが、勿論このものに限定されるものではなく、自重で垂下可能な芯出し線であれば、錘はなくともよい。
【００３０】
また、上記実施の形態１では、吸着材としてマグネットを例に説明したが、勿論このものに限定されるものではなく、例えば、吸盤、マジックテープ（登録商標）などのような着脱可能なものであってもよい。
【図面の簡単な説明】
【００３１】
【図１】この発明の実施の形態１の三方枠の芯出し装置をエレベーターの昇降路に取り付けた時の斜視図である。
【図２】図１の要部拡大図である。
【図３】図１の切欠きとピアノ線の係合した時の斜視図である。
【図４】この発明の実施の形態２の三方枠の芯出し装置をエレベーターの昇降路に取り付けた時の斜視図である。
【図５】図４の要部拡大図である。
【図６】図４の第１の係合部材および第１の固定手段を示す分解斜視図である。
【図７】図４の第２の係合部材および第２の固定手段を示す分解斜視図である。
【符号の説明】
【００３２】
１  昇降路、２  開口部、３  敷居、４  縦枠、５  上枠、６  第１の係合部材、６ａ  第１の切欠き、７  第２の係合部材、７ａ  第２の切欠き、８  第１のマグネット、９  第２のマグネット、１０  ピアノ線、１１  錘、１２  第１の固定部材、１３  ネジ座、１４  第２の固定部材、１５  ネジ座、１６  第３の固定部材、１７  ネジ座、１８  第４の固定部材、１９  ネジ座、２０  仕切り壁、２６  第１の係合部材、２６ａ  第１の切欠き、２７  第２の係合部材、２７ａ  第２の切欠き、２８〜３５  ネジ。
【図１】
2007182275.tif 000003
【図２】
2007182275.tif 000004
【図３】
2007182275.tif 000005
【図４】
2007182275.tif 000006
【図５】
2007182275.tif 000007
【図６】
2007182275.tif 000008
【図７】
2007182275.tif 000009